(57)【要約】【課題】プラスチックの使用量を抑制して地球環境に優しい包装を提供する。。【解決手段】ディスク１を収納したケース２をグラシン紙を用い紙フィルム性の封印包装テープ３を巻き付けて封印包装することにより、ポリエチレン等のプラスチックフィルムを使用しない地球環境に優しい情報記録媒体の封印、包装を行なうことができるようにした。また、グラシン紙を用いることにより、オフセット印刷や凸版印刷でグラビア印刷と同等の鮮明な印刷効果を得ることができるようにした。また、グラシン紙を用いることにより、プラスチックフィルムの封印包装テープ用の包装装置（ラッパー装置）を使用して、封印、包装を行なうことができるようにした。【選択図】  図１
2004306993.tif 000002
【特許請求の範囲】
【請求項１】
ケースに収納され該ケースをフィルムで包装された情報記録媒体であって、
前記フィルムには、紙フィルムが用いられていることを特徴とする情報記録媒体。
【請求項２】
前記紙フィルムは、グラシン紙で形成されていることを特徴とする請求項１に記載の情報記録媒体。
【請求項３】
前記グラシン紙は、原料繊維スラリーに合成樹脂製の湿潤紙力増強剤を添加して形成されていることを特徴とする請求項２に記載の情報記録媒体。
【請求項４】
前記フィルムは、テープ状に形成されていて前記ケースに巻き重ねられ端部が接着剤で接着されていることを特徴とする請求項１に記載の情報記録媒体。
【請求項５】
前記接着剤は、ホットメルト系接着剤であることを特徴とする請求項２に記載の情報記録媒体。
【発明の詳細な説明】
【０００１】
【発明の属する技術分野】
本発明は、ケースに収納され該ケースをフィルムで包装されたテープカセットやディスク等の情報記録媒体に関し、従来プラスチックで形成されていた包装フィルムに代えて紙製のフィルム、例えば再生紙やグラシン紙等を使用することにより環境の保護を図ると共に、フィルムへの印刷をオフセット印刷や凸版印刷で行なうことできるようにしたものである。
【０００２】
【従来の技術】
テープカセットやディスク等の情報記録媒体は、ケースに収納され該ケースをフィルムで包装した状態で販売等に供されている。
【０００３】
テープカセットやディスク等の情報記録媒体を収納したケースを包装する方法として、ケースをポリエチレン等のプラスチックフィルムで包み込むようにして包装する所謂キャラメル包みが広く用いられている。
【０００４】
しかし、テープカセットやディスク等の情報記録媒体を収納したケース全体をポリエチレン等のプラスチックフィルムで包み込む包装は、当然のことながらポリエチレン等のプラスチックフィルムの使用量が多くなり、省資源、地球環境保護等の観点から見直しが迫られている。
【０００５】
そこで、図１０に示すように、情報記録媒体としてテープカセット１０１を収容したケース１０２にポリエチレン等のプラスチックフィルムの封印包装テープ１０３を巻き付けて包装装置（ラッパー装置）で封印、包装したテープカセットの封印構造も開発されている。（例えば、特許文献１）
【０００６】
【特許文献１】
特開２００１−１０６６４（特許請求の範囲、段落０００５、段落００１７、段落００１９、段落００２０、図１〜図４）
【０００７】
【発明が解決しようとする課題】
ところで前記ポリエチレン等のプラスチックフィルムの封印包装テープ１０３を使用しての封印、包装は、ポリエチレン等のプラスチックフィルムで所謂キャラメル包みにより封印、包装する場合に比べて、ポリエチレン等のプラスチックフィルムの使用量を削減することができるが、ポリエチレン等のプラスチックフィルムを使用するという点においてはキャラメル包みをする場合と同じである。
【０００８】
このため、ポリエチレン等のプラスチックフィルムを使用しない地球環境に優しいテープカセットの封印、包装を行なうことができるようにすることが課題とされている。特に、プラスチックフィルムがＯＰＰフィルム（二軸延伸ポリプロピレンフィルム）である場合には、ヒートシュリンクの際の熱でフィルムがケースに貼り付いてしまうのを防止しなければならないという課題もあった。
【０００９】
本発明の目的は、前記課題を解決し、地球環境に優しい封印包装テープを使用した情報記録媒体を提供することを目的に成されたものである。
【００１０】
【課題を解決するための手段】
ケースに収納され該ケースをフィルムで包装された情報記録媒体において、
前記包装フィルムに、再生紙やグラシン紙等の紙製のフィルムを用いることにより、
ポリエチレン等のプラスチックフィルムを使用しない地球環境に優しい情報記録媒体の封印、包装を行なうことができるようにした。
【００１１】
【発明の実施の形態】
図１は、本発明の情報記録媒体としてのディスク１を示す。前記ディスク１は、ディスク収納ケース２に収納されているとともに、前記ケース２は、封印包装テープ３を巻き付けて、前記ディスク１の出入部を塞ぐことにより封印、包装されている。
【００１２】
封印包装テープ３は、グラシン紙で形成されている。グラシン紙は、高水分下で高温、高圧を掛けてパルプを圧潰することにより形成されていて、高密度、透明性、耐油性、透湿性等に優れ、独特の光沢と照りを有している。グラシン紙の坪量は、例えば２５．８ｇ／ｍ２、３０．８ｇ／ｍ２、３５．０ｇ／ｍ２、４０．０ｇ／ｍ２に形成され、紙の厚みは、２０〜５０μｍに形成されていて、既存のポリエチレン製の封印包装テープを使用して封印、包装する既存の包装装置（ラッピング装置）をそのまま適用して封印、包装することが可能になっている。前記グラシン紙は、透明度７５．５％（試験方法・ＪＩＳ  Ｐ  ８１３８による）に形成されている。
【００１３】
前記封印包装テープ３の幅Ｄ１は、前記グラシン紙により前記ケース２の幅Ｄ２よりも小幅、例えば１／２〜１／３程度の幅に形成されていて、ロール状に巻かれた状態になっている。
【００１４】
図２に示すように、ロール状に巻かれた封印包装テープ３は、一定のピッチ（前記ケース２を略一巻きして端部が互いに重なり合う長さ）Ｐでフィルムカット部４を備え、該フィルムカット部４の近傍位置に接着剤層５を備えている。
【００１５】
前記接着剤層５は、融点が６０℃〜８０℃以上のホットメルト接着剤（例えば商標名・セイカダイン１９００Ｗ・大日精化工業株式会社製）を糊用の版を使用して輪転機で封印包装テープ３に塗布することにより形成されている。
【００１６】
そして、封印包装テープ３及び既存の封印包装テープ用の包装装置（ラッパー装置）を使用して、ディスク１に収納されているケース２の封印、包装が行われる。
【００１７】
図３、図４に示すように、封印包装テープ３は、フィルムカット部４でカットされてケース２に巻かれる。そして、封印包装テープ３は、ヒーターブロック６で接着剤層５を加熱し、溶融、硬化させて、封印包装テープ３の両端部を接着することによりケース２の封印、包装を行なうようになっている。なお、図５に示すように、複数枚のケース２を重ね合せて封印、包装してもよい。
【００１８】
前記ヒーターブロック６による加熱は、１００〜１５０℃に加熱したヒーターブロック６を、接触時間０．３〜０．５ｓｅｃ、加圧力１００〜３００ｇで接着剤層５上に押し付けることにより行われる。その際の封印包装テープ３に掛けるテンションは、６００ｇ程度が望ましい。
【００１９】
上述のようにして、封印包装テープ３を巻き付けて封印、包装を行なった場合でも、前記封印包装テープ３が位置ズレを起こして、封印、包装効果が喪失してしまうことが懸念される。
【００２０】
そこで、図６に示すように、ディスクカートリッジ１１に直接、封印包装テープ３を巻き付ける場合には、ラベルシート貼付エリア１２に段部１３を設け、該段部１３内に封印包装テープ３を巻き付けることにより封印包装テープ３の位置ズレを阻止することができる。なお、前記段部１３の両側の下端のコーナー部１４は、直角であることが望ましいが０．５Ｒ〜１．０Ｒ程度のアール面であってもよい。１５はディスクカートリッジ１１にスライド可能に取付けられたシャッターである。
【００２１】
また、図７に示すように、ディスクカートリッジ１１を更にケース２に入れて封印、包装する場合には、ケース２に段部２２を設け、該段部２２内に封印包装テープ３を巻き付けることにより封印包装テープ３の位置ズレを阻止することができる。なお、前記段部２２の両側の下端のコーナー部２３は、図６に示す場合と同様に直角であることが望ましいが０．５Ｒ〜１．０Ｒ程度のアール面であってもよい。
【００２２】
また、図８に示すように、ディスクカートリッジ１１をケース２に入れ、更にラベルシート３１で挟んだものを封印、包装する場合には、ラベルシート３１の一端部からケース２１に設けた段部２２の一部が所定の幅ａ（３ｍｍ以上が望ましい）で臨むようにし、封印包装テープ３を巻き付けることにより封印包装テープ３の位置ズレを阻止することができる。なお、図１に示すように、前記封印包装テープ３の幅Ｄ１は、ＭＤ（ミニディスク）等の小型のメディアに対してはその幅Ｄ２の２／３程度が望ましく、またＶＨＳ等のビデオカートリジにおいては、４０〜７０ｍｍ程度の幅が望ましい。
【００２３】
そして、図９に示すように、封印、包装された複数のケース２を封印包装テープ３と同様のグラシン紙で作られていて、封印包装テープ３と同様の接着剤層５を有する紙フィルム４１でキャラメル包みによりパック詰めし、更にサブカートンやマスターカートン（図示省略）に入れて流通に供される。なお、封印包装テープ３は、再生紙（商品名・リフレシュランド７０やリフレシュランド１００）で形成しても、或いは、原料繊維スラリーにメラミン樹脂、尿素樹脂、ポリアミド・エピクロルヒドリン樹脂、ポリアクリルアミド系樹脂等の湿潤紙力増強剤を添加し、耐水性、湿潤性を強化したグラシン紙を使用してもよい。
【００２４】
【発明の効果】
本発明には、次に述べるような効果がある。
（１）ポリエチレン等のプラスチックフィルムを使用せず、紙フィルムを使用したので、地球環境に優しい情報記録媒体の封印、包装を行なうことができる。
（２）グラシン紙を用いることにより薄く引張り強度の強いものになり、プラスチックフィルムの封印包装テープ用の包装装置（ラッパー装置）を使用して、封印、包装を行なうことができる。
（３）ＯＰＰフィルム（二軸延伸ポリプロピレンフィルム）を使用する場合のようなヒートシュリンクのための設備や電力を必要としないのでコスト的にも有利なものになる。また、ヒートシュリンクの際の熱でフィルムがケースに貼り付いてしまうというなこともなくなる。
【図面の簡単な説明】
【図１】封印包装された情報記録媒体の斜視図。
【図２】封印包装テープの斜視図。
【図３】封印包装テープの接着工程を示す斜視図。
【図４】封印包装テープの接着工程を示す側面図。
【図５】複数のケースを重ねて封印包装した状態の斜視図。
【図６】（Ａ），（Ｂ），（Ｃ）はディスクカートリッジへの封印包装を示す説明図であり（Ａ）はディスクカートリッジの斜視図、（Ｂ）は（Ａ）のＡ−Ａ断面図、（Ｃ）は封印包装テープを巻いた状態の斜視図。
【図７】（Ａ），（Ｂ），（Ｃ）はケースへの封印包装を示す説明図であり（Ａ）はケースの斜視図、（Ｂ）は（Ａ）のＡ−Ａ断面図、（Ｃ）は封印包装テープを巻いた状態の斜視図。
【図８】（Ａ），（Ｂ），（Ｃ）はケースをラベルシートで挟んで封印包装を施す場合の説明図であり（Ａ）はケースをラベルシートで挟んだ状態の斜視図、（Ｂ）は（Ａ）の平面図、（Ｃ）は封印包装テープを巻いた状態の斜視図。
【図９】封印包装テープで封印包装したものを更にキャラメル包装した場合の斜視図。
【図１０】従来例の斜視図。
【符号の説明】
１…ディスク、２…ケース、３…封印包装テープ、４…接着剤層、５…フィルムカット部。
【図１】
2004306993.tif 000003
【図２】
2004306993.tif 000004
【図３】
2004306993.tif 000005
【図４】
2004306993.tif 000006
【図５】
2004306993.tif 000007
【図６】
2004306993.tif 000008
【図７】
2004306993.tif 000009
【図８】
2004306993.tif 000010
【図９】
2004306993.tif 000011
【図１０】
2004306993.tif 000012